(57)【特許請求の範囲】
【請求項１】
ワイヤレス通信のための装置であって、
媒体上で受信されたフレームを取得するように構成された第１のインターフェースと、
前記フレームを処理するときにエラーの発生を検出することと、
前記エラーの前記発生を検出した後に、前記フレーム中に含まれる情報に基づいて前記フレームの意図された受信者を決定することと、
前記エラーの前記発生を検出した後に、前記決定に少なくとも部分的に基づいて譲歩期間を選択することと、ここにおいて、前記選択は、前記決定が、前記装置が前記フレームの前記意図された受信者でないということである場合、第１の譲歩期間を選択することを備える、ここにおいて、前記第１の譲歩期間が第２の譲歩期間よりも大きい、
を行うように構成された処理システムと、
前記選択された譲歩期間中に前記媒体上での送信のためにフレームを出力することを控えるように構成された第２のインターフェースと
を備える、装置。
【請求項２】
前記情報は、前記装置が属する基本サービスセット（ＢＳＳ）に関連付けられた値を備える、請求項１に記載の装置。
【請求項３】
前記情報が部分関連付け識別子（ＡＩＤ）を備える、請求項１に記載の装置。
【請求項４】
前記情報が、前記フレームのプリアンブルの信号フィールド中で搬送される、請求項１に記載の装置。
【請求項５】
前記情報が、少なくとも部分的に前記信号フィールド中の色フィールド中で搬送される、請求項４に記載の装置。
【請求項６】
前記第２の譲歩期間が分散フレーム間スペース（ＤＩＦＳ）期間またはポイント協調機能（ＰＣＦ）フレーム間スペース（ＰＩＦＳ）期間を備える、請求項１に記載の装置。
【請求項７】
前記第１の譲歩期間が拡張フレーム間スペース（ＥＩＦＳ）期間を備える、請求項１に記載の装置。
【請求項８】
前記処理システムが、前記決定が、前記装置が前記フレームの前記意図された受信者であるということである場合、前記エラーとともに受信された前記フレームの再送信を促すように意図された別のフレームを生成するように構成され、
前記第２のインターフェースが、送信のために前記生成された別のフレームを出力するように構成された、請求項１に記載の装置。
【請求項９】
前記情報が、前記フレームを送信したデバイスの識別子を備える、請求項１に記載の装置。
【請求項１０】
前記情報は、前記フレームがアップリンクフレームであるのかダウンリンクフレームであるのかのインジケーションを備える、請求項１に記載の装置。
【請求項１１】
前記情報が前記フレームのメディアアクセス制御（ＭＡＣ）ヘッダ中に含まれる、請求項１に記載の装置。
【請求項１２】
前記処理システムは、前記フレーム中のインジケーションに基づいて、前記譲歩期間の前記選択が前記フレームの前記決定された意図された受信者に少なくとも部分的に基づくべきであるかどうかを決定するように構成された、請求項１に記載の装置。
【請求項１３】
前記インジケーションが前記フレームのＰＨＹヘッダ中に含まれる、請求項１２に記載の装置。
【請求項１４】
前記情報は、前記フレームのプリアンブル中に、前記フレームがアップリンクまたはダウンリンクのためのものであるという第１のインジケーションと色の第２のインジケーションとを含み、
前記処理システムが、前記第１のインジケーションと前記第２のインジケーションとに基づいて前記フレームの前記意図された受信者を決定するように構成された、請求項１に記載の装置。
【請求項１５】
装置によるワイヤレス通信のための方法であって、
媒体上で受信されたフレームを取得することと、
前記フレームを処理するときにエラーの発生を検出することと、
前記エラーの前記発生を検出した後に、前記フレーム中に含まれる情報に基づいて前記フレームの意図された受信者を決定することと、
前記エラーの前記発生を検出した後に、前記決定に少なくとも部分的に基づいて譲歩期間を選択することと、ここにおいて、前記選択は、前記決定が、前記装置が前記フレームの前記意図された受信者でないということである場合、第１の譲歩期間を選択することを備える、ここにおいて、前記第１の譲歩期間が第２の譲歩期間よりも大きい、
前記選択された譲歩期間中に前記媒体上での送信のためにフレームを出力することを控えることと
を備える、方法。
【請求項１６】
前記情報は、前記装置が属する基本サービスセット（ＢＳＳ）に関連付けられた値を備える、請求項１５に記載の方法。
【請求項１７】
前記情報が部分関連付け識別子（ＡＩＤ）を備える、請求項１５に記載の方法。
【請求項１８】
前記情報が、前記フレームのプリアンブルの信号フィールド中で搬送される、請求項１５に記載の方法。
【請求項１９】
前記情報が、少なくとも部分的に前記信号フィールド中の色フィールド中で搬送される、請求項１８に記載の方法。
【請求項２０】
前記情報は、前記フレームがアップリンクフレームであるのかダウンリンクフレームであるのかのインジケーションを備える、請求項１５に記載の方法。
【請求項２１】
ワイヤレス通信のための装置であって、
媒体上で受信されたフレームを取得するための手段と、
前記フレームを処理するときにエラーの発生を検出するための手段と、
前記エラーの前記発生を検出した後に、前記フレーム中に含まれる情報に基づいて前記フレームの意図された受信者を決定するための手段と、
前記エラーの前記発生を検出した後に、前記決定に少なくとも部分的に基づいて譲歩期間を選択するための手段と、ここにおいて、前記選択するための手段は、前記決定が、前記装置が前記フレームの前記意図された受信者でないということである場合、第１の譲歩期間を選択する、ここにおいて、前記第１の譲歩期間が第２の譲歩期間よりも大きい、
前記選択された譲歩期間中に前記媒体上での送信のためにフレームを出力することを控えるための手段と
を備える、装置。
【請求項２２】
前記情報は、前記装置が属する基本サービスセット（ＢＳＳ）に関連付けられた値を備える、請求項２１に記載の装置。
【請求項２３】
前記情報が部分関連付け識別子（ＡＩＤ）を備える、請求項２１に記載の装置。
【請求項２４】
前記情報が、前記フレームのプリアンブルの信号フィールド中で搬送される、請求項２１に記載の装置。
【請求項２５】
前記情報が、少なくとも部分的に前記信号フィールド中の色フィールド中で搬送される、請求項２４に記載の装置。
【請求項２６】
１つまたは複数プロセッサによって実行されたとき、装置に、
媒体上でフレームを受信することと、
前記フレームを処理するときにエラーの発生を検出することと、
前記エラーの前記発生を検出した後に、前記フレーム中に含まれる情報に基づいて前記フレームの意図された受信者を決定することと、
前記エラーの前記発生を検出した後に、前記決定に少なくとも部分的に基づいて譲歩期間を選択することと、ここにおいて、前記選択は、前記決定が、前記装置が前記フレームの前記意図された受信者でないということである場合、第１の譲歩期間を選択することを備える、ここにおいて、前記第１の譲歩期間が第２の譲歩期間よりも大きい、
前記選択された譲歩期間中に前記媒体上でフレームを送信することを控えることと
を行わせる命令を記憶した非一時的コンピュータ可読媒体。
【請求項２７】
前記情報は、前記装置が属する基本サービスセット（ＢＳＳ）に関連付けられた値を備える、請求項２６に記載の非一時的コンピュータ可読媒体。
【請求項２８】
前記情報が部分関連付け識別子（ＡＩＤ）を備える、請求項２６に記載の非一時的コンピュータ可読媒体。
【請求項２９】
前記情報が、前記フレームのプリアンブルの信号フィールド中で搬送される、請求項２６に記載の非一時的コンピュータ可読媒体。
【請求項３０】
前記情報が、少なくとも部分的に前記信号フィールド中の色フィールド中で搬送される、請求項２９に記載の非一時的コンピュータ可読媒体。
【発明の詳細な説明】
【技術分野】
【０００１】
米国特許法第１１９条に基づく優先権の主張
[0001]本出願は、本出願の譲受人に譲渡され、参照により本明細書に明確に組み込まれる、２０１５年５月１１日に出願された米国仮特許出願第６２／１５９，９１７号の利益を主張する、２０１６年５月４日に出願された米国特許出願第１５／１４６，３０３号の優先権を主張する。
【０００２】
[0002]本開示のいくつかの態様は、一般にワイヤレス通信に関し、より詳細には、拡張フレーム間スペース（ＥＩＦＳ）譲歩(deferral)に対する免除に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信システムのために要求される増加する帯域幅要件という問題に対処するために、複数のユーザ端末が、高いデータスループットを達成しながら、チャネルリソースを共有することによって単一のアクセスポイントと通信することを可能にするために、異なる方式が開発されている。多入力多出力（ＭＩＭＯ）技術は、通信システムのための普及している技法として現れた１つのそのような手法を表す。ＭＩＭＯ技術は、米国電気電子技術者協会（ＩＥＥＥ：Institute of Electrical and Electronics Engineers）８０２．１１規格など、いくつかのワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【発明の概要】
【０００５】
[0005]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおける改善された通信を含む利点をどのように提供するかが理解されよう。
【０００６】
[0006]本開示の態様は、一般に、受信されたパケット中でエラーが検出されたときに譲歩期間（deferral period）を選択するためのルールのセットに関する。
【０００７】
[0007]本開示のいくつかの態様は、ワイヤレス通信のための装置を提供する。本装置は、一般に、媒体上で受信されたフレームを取得するためのインターフェースと、フレームを処理するときにエラーの発生を検出することと、フレーム中に含まれる情報に基づいてフレームの意図された受信者を決定することと、エラーの発生を検出した後に、装置が媒体上で送信することをその間に控える、譲歩期間を選択すること、ここにおいて、選択が決定に少なくとも部分的に基づく、とを行うように構成された処理システムとを含む。
【０００８】
[0008]本開示のいくつかの態様は、ワイヤレス通信のための装置を提供する。本装置は、一般に、送信のためにフレームを生成するように構成された処理システム、フレームは、フレームを処理するときにエラーを検出した後に、フレームの意図された受信者が、第１の譲歩期間を選択するべきであるのか第２の譲歩期間を選択するべきであるのかのインジケーションを有する、と、送信のためにフレームを出力するためのインターフェースとを含む。
【０００９】
[0009]本開示のいくつかの態様は、装置によって媒体上で受信されたフレームを取得することと、フレームを処理するときにエラーの発生を検出することと、フレーム中に含まれる情報に基づいてフレームの意図された受信者を決定することと、エラーの発生を検出した後に、装置が媒体上で送信することをその間に控える、譲歩期間を選択することと、ここにおいて、選択が決定に少なくとも部分的に基づく、を行うための命令を記憶したコンピュータ可読媒体を提供する。
【００１０】
[0010]本開示のいくつかの態様は、ワイヤレス通信のための方法を提供する。本方法は、一般に、送信のためにフレームを生成することと、フレームは、フレームを処理するときにエラーを検出した後に、フレームの意図された受信者が、第１の譲歩期間を選択するべきであるのか第２の譲歩期間を選択するべきであるのかのインジケーションを有する、送信のためにフレームを出力することとを含む。
【００１１】
[0011]本開示のいくつかの態様は、ワイヤレス通信のための方法を提供する。本方法は、一般に、装置によって媒体上で受信されたフレームを取得することと、フレームを処理するときにエラーの発生を検出することと、フレーム中に含まれる情報に基づいてフレームの意図された受信者を決定することと、エラーの発生を検出した後に、装置が媒体上で送信することをその間に控える、譲歩期間を選択すること、ここにおいて、選択が決定に少なくとも部分的に基づく、とを含む。
【００１２】
[0012]本開示のいくつかの態様は、ワイヤレス通信のための装置を提供する。本装置は、一般に、送信のためにフレームを生成するための手段、フレームは、フレームを処理するときにエラーを検出した後に、フレームの意図された受信者が、第１の譲歩期間を選択するべきであるのか第２の譲歩期間を選択するべきであるのかのインジケーションを有する、と、送信のためにフレームを出力するための手段とを含む。
【００１３】
[0013]本開示のいくつかの態様は、ワイヤレス通信のための装置を提供する。本装置は、一般に、装置によって媒体上で受信されたフレームを取得するための手段と、フレームを処理するときにエラーの発生を検出するための手段と、フレーム中に含まれる情報に基づいてフレームの意図された受信者を決定するための手段と、エラーの発生を検出した後に、装置が媒体上で送信することをその間に控える、譲歩期間を選択するための手段、ここにおいて、選択が決定に少なくとも部分的に基づく、とを含む。
【００１４】
[0014]本開示のいくつかの態様は、送信のためにフレームを生成すること、フレームは、フレームを処理するときにエラーを検出した後に、フレームの意図された受信者が、第１の譲歩期間を選択するべきであるのか第２の譲歩期間を選択するべきであるのかのインジケーションを有する、と、送信のためにフレームを出力することとを行うための命令を記憶したコンピュータ可読媒体を提供する。
【００１５】
[0015]本開示のいくつかの態様は、装置によって媒体上で受信されたフレームを取得することと、フレームを処理するときにエラーの発生を検出することと、フレーム中に含まれる情報に基づいてフレームの意図された受信者を決定することと、エラーの発生を検出した後に、装置が媒体上で送信することをその間に控える、譲歩期間を選択すること、ここにおいて、選択が決定に少なくとも部分的に基づく、とを行うための命令を記憶したコンピュータ可読媒体を提供する。
【００１６】
[0016]本開示のいくつかの態様は、送信のためにフレームを生成すること、フレームは、フレームを処理するときにエラーを検出した後に、フレームの意図された受信者が、第１の譲歩期間を選択するべきであるのか第２の譲歩期間を選択するべきであるのかのインジケーションを有する、と、送信のためにフレームを出力することとを行うための命令を記憶したコンピュータ可読媒体を提供する。
【００１７】
[0017]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１８】
【図１】[0018]本開示のいくつかの態様による、例示的なワイヤレス通信ネットワークを示す図。
【図２】[0019]本開示のいくつかの態様による、例示的なアクセスポイント（ＡＰ）およびユーザ端末のブロック図。
【図３】[0020]本開示のいくつかの態様による、例示的なワイヤレスデバイスのブロック図。
【図４】[0021]本開示のいくつかの態様による、例示的なフレーム間間隔を示す図。
【図５】[0022]本開示のいくつかの態様による、例示的なフレームフォーマットを示す図。
【図６】[0023]本開示のいくつかの態様による、例示的なフレームフィールドを示す図。
【図７】[0024]本開示のいくつかの態様による、装置によるワイヤレス通信のための例示的な動作７００を示す流れ図。
【図７Ａ】[0025]図７に示されている動作を実行することが可能な例示的な手段を示す図。
【図８】[0026]本開示のいくつかの態様による、装置によるワイヤレス通信のための例示的な動作８００を示す流れ図。
【図８Ａ】[0027]図８に示されている動作を実行することが可能な例示的な手段を示す図。
【発明を実施するための形態】
【００１９】
[0028]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載の態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００２０】
[0029]本開示の態様は、一般に、意図された受信者がそれが意図された受信者でなかった場合よりも短い譲歩期間を選択することを可能にし得る譲歩期間を選択するための技法に関する。技法は、ＥＩＦＳ免除のためのルールのセットを定義することと見なされ得る。
【００２１】
[0030]本明細書でより詳細に説明されるように、装置は、媒体上で受信されたフレームを取得し、フレームを処理するときにエラーの発生を検出し、フレーム中に含まれる情報に基づいて装置がフレームの意図された受信者であることを決定し、決定に少なくとも部分的に基づいて、エラーを検出した後に、装置が媒体上で送信することをその間に控える、譲歩期間を選択し得る。
【００２２】
[0031]「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００２３】
[0032]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００２４】
[0033]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、およびシングルキャリア周波数分割多元接続（ＳＣ−ＦＤＭＡ）システムがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２５】
[0034]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードは、アクセスポイントまたはアクセス端末を備え得る。
【００２６】
[0035]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２７】
[0036]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ＡＴはワイヤレスノードであり得る。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
例示的なワイヤレス通信システム
[0037]図１は、本開示の態様が実行され得るシステム１００を示す。たとえば、アクセスポイント１１０は、ユーザ端末１２０にフレームを送り得る。ユーザ端末１２０は、フレームを受信し、フレームを処理するときにエラーを検出し得る。別の例では、ユーザ端末１２０が、アクセスポイント１１０にフレームを送り得、アクセスポイント１１０は、それを受信し、フレームを処理するときにエラーを検出する。
【００２８】
[0038]システム１００は、たとえば、アクセスポイントとユーザ端末とをもつ多元接続多入力多出力（ＭＩＭＯ）システム１００であり得る。簡単のために、図１にはただ１つのアクセスポイント１１０が示されている。アクセスポイントは、概して、ユーザ端末と通信する固定局であり、基地局または何らかの他の用語で呼ばれることもある。ユーザ端末は、固定式または移動可能であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。
【００２９】
[0039]システムコントローラ１３０は、これらのＡＰおよび／または他のシステムのために協調および制御を行い得る。ＡＰは、たとえば、無線周波数電力、チャネル、認証、およびセキュリティに対する調整を扱い得るシステムコントローラ１３０によって管理され得る。システムコントローラ１３０は、バックホールを介してＡＰと通信し得る。ＡＰはまた、たとえば、ワイヤレスバックホールまたはワイヤラインバックホールを介して直接または間接的に互いに通信し得る。
【００３０】
[0040]以下の開示の部分は、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡユーザ端末が適切と見なされるときに導入されることを可能にしながら、より古いバージョンのユーザ端末（「レガシー」局）が企業において展開されたままであることを可能にし、それらの有効寿命を延長し得る。
【００３１】
[0041]システム１００は、ダウンリンクおよびアップリンク上でのデータ送信のために複数の送信アンテナと複数の受信アンテナとを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが、何らかの手段によって、コード、周波数または時間において多重化されない場合、Ｎap≧Ｋ≧１が成り立つことが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、アクセスポイントにユーザ固有データを送信し、および／またはアクセスポイントからユーザ固有データを受信する。概して、各選択されたユーザ端末は、１つまたは複数のアンテナを装備し得る（すなわち、Ｎut≧１）。Ｋ個の選択されたユーザ端末は、同じまたは異なる数のアンテナを有することができる。
【００３２】
[0042]システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。システム１００はまた、送信／受信を異なるタイムスロットに分割することによって、ユーザ端末１２０が同じ周波数チャネルを共有する場合、ＴＤＭＡシステムであり得、各タイムスロットは異なるユーザ端末１２０に割り当てられる。
【００３３】
[0043]図２は、本開示の態様を実装するために使用され得る、図１に示されているＡＰ１１０とＵＴ１２０との例示的な構成要素を示す。ＡＰ１１０とＵＴ１２０との１つまたは複数の構成要素は、本開示の態様を実施するために使用され得る。たとえば、アクセスポイント１１０のアンテナ２２４、Ｔｘ／Ｒｘ２２２、プロセッサ２１０、２２０、２４０、２４２、および／またはコントローラ２３０は、本明細書で説明され、図７および図７Ａ、ならびに図８および図８Ａに関して示されている動作を実行するために使用され得る。同様に、ユーザ端末１２０のアンテナ２５２、Ｔｘ／Ｒｘ２５４、プロセッサ２６０、２７０、２８８、および２９０、ならびに／またはコントローラ２８０は、本明細書で説明され、図７および図７Ａ、ならびに図８および図８Ａに関して示されている動作を実行するために使用され得る。
【００３４】
[0044]図２は、ＭＩＭＯシステム１００におけるアクセスポイント１１０と２つのユーザ端末１２０ｍおよび１２０ｘのブロック図を示す。アクセスポイント１１０はＮt個のアンテナ２２４ａ〜２２４ａｐを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択され、ＮupはＮdnに等しいことも等しくないこともあり、ＮupおよびＮdnは、静的値であり得るか、またはスケジューリング間隔ごとに変化することがある。ビームステアリングまたは何らかの他の空間処理技法がアクセスポイントおよびユーザ端末において使用され得る。
【００３５】
[0045]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。コントローラ２８０はメモリ２８２と結合され得る。ＴＸデータプロセッサ２８８は、ユーザ端末のために選択されたレートに関連するコーディングおよび変調方式に基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３６】
[0046]Ｎup個のユーザ端末が、アップリンク上での同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３７】
[0047]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行される処理と相補的な処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを取得するために、各復元アップリンクデータシンボルストリームのために使用されたレートに応じてそのストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。コントローラ２３０はメモリ２３２と結合され得る。
【００３８】
[0048]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明されるプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。各ユーザ端末のための復号データは、記憶のためにデータシンク２７２に与えられ、および／またはさらなる処理のためにコントローラ２８０に与えられ得る。
【００３９】
[0049]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。
【００４０】
[0050]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、アクセスポイント１１０において、チャネル推定器２２８は、アップリンクチャネル応答を推定し、アップリンクチャネル推定値を与える。各ユーザ端末のためのコントローラ２８０は、一般に、そのユーザ端末のためのダウンリンクチャネル応答行列Ｈdn,mに基づいてユーザ端末のための空間フィルタ行列を導出する。コントローラ２３０は、有効アップリンクチャネル応答行列Ｈup,effに基づいてアクセスポイントのための空間フィルタ行列を導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれアクセスポイント１１０およびユーザ端末１２０における様々な処理ユニットの動作を制御する。
【００４１】
[0051]図３は、ＭＩＭＯシステム１００内で採用され得るワイヤレスデバイス３０２において利用され得る様々な構成要素を示す。ワイヤレスデバイス３０２は、本明細書で説明される様々な方法を実施するように構成され得るデバイスの一例である。たとえば、ワイヤレスデバイスは、それぞれ図５および図７〜図９に示されている動作５００および７００〜９００を実施し得る。ワイヤレスデバイス３０２はアクセスポイント１１０またはユーザ端末１２０であり得る。
【００４２】
[0052]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明される方法を実施するために実行可能であり得る。
【００４３】
[0053]ワイヤレスデバイス３０２はまた、ワイヤレスデバイス３０２とリモートノードとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００４４】
[0054]ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度および他の信号として検出し得る。ワイヤレスデバイス３０２は、信号を処理する際に使用するためのデジタル信号プロセッサ（ＤＳＰ）３２０をも含み得る。
【００４５】
[0055]ワイヤレスデバイス３０２の様々な構成要素は、データバスに加えて、電力バスと、制御信号バスと、ステータス信号バスとを含み得る、バスシステム３２２によって互いに結合され得る。
【００４６】
[0056]共有媒体を使用するネットワーキングでは、ネットワークパケットまたはフレーム間で休止が必要とされ得る。これらの休止は媒体の協調使用を可能にする。図４は、８０２．１１フレーム間間隔の例示的な時間シーケンスを示す。８０２．１１におけるＤＣＦプロトコルなど、共有媒体にアクセスするための競合ベースプロトコルでは、ノードは、送信するより前に別のノードが媒体にアクセスしているかどうかを決定するために媒体を検知する。媒体のステータスを検知する際に、ノードは、媒体が、分散フレーム間スペース（ＤＩＦＳ：distributed interframe space）持続時間４０２など、特定の持続時間の間連続的にアイドルであるかどうかを確かめる。媒体がＤＩＦＳ持続時間中にビジーである場合、ノードは、時間期間または持続時間の間バックオフし、バックオフ時間期間の後に再び媒体を検知し得る。媒体がＤＩＦＳ持続時間の間アイドルである場合、バックオフ期間より前またはそれの後のいずれかに、ノードは媒体上で送信し得る。ポイント協調機能（ＰＣＦ：point coordination function）フレーム間スペース（ＰＩＦＳ：PCF interframe space）持続時間４０４は、媒体にアクセスする前に、ＤＩＦＳ持続時間４０２ではなく、ＡＰなど、ＰＣＦ対応ノード、が待つ時間期間を定義する。このＰＩＦＳ持続時間４０４は、ＤＩＦＳ期間４０２待つノードと比較して、媒体へのＰＣＦ対応ノード優先アクセスを優先するために、ＤＩＦＳ持続時間４０２よりも短くなり得る。ショートフレーム間スペース（ＳＩＦＳ：short interframe space）持続時間４０６は、ノードが、受信されたフレームを処理し、肯定応答（ＡＣＫ）フレームなど、応答フレームで応答しなければならない時間の量を定義する。このＳＩＦＳ持続時間４０６は、ＤＩＦＳ持続時間４０２およびＰＩＦＳ持続時間４０４よりも短く、媒体への優先アクセスを有する。
【００４７】
[0057]フレームを受信した後に、ノードはフレームを復号することを試みる。いくつかの場合には、媒体がワイヤレス媒体である場合など、媒体自体がノイズが多く、信頼できないことがある。たとえば、（ＰＨＹヘッダがフォーマット違反を含んでいるか、またはＰＳＤＵが適切に受信されない場合など）ＰＨＹレイヤ、あるいは（不正確なＭＡＣ  ＦＣＳ値など）ＭＡＣレイヤ中で、受信されたフレームを処理するときにノードがエラーの発生を検出した場合、ノードは、媒体にアクセスする前に、ＤＩＦＳ持続時間４０２ではなく拡張フレーム間スペース（ＥＩＦＳ）期間（たとえば、持続時間）４０８を譲歩(defer)する。ＥＩＦＳ持続時間４０８は、最低物理レイヤレートにおける標準ショートＡＣＫフレームの送信時間＋ショートインターフェースＳＩＦＳ持続時間４０６＋ＤＩＦＳ持続時間４０２に等しくなり得る。さらに、いくつかの場合には、ＥＩＦＳ持続時間４０８は、さらに長くなり得る。これは、エラーを検出することなしにフレームを受信および復号し得る別のノードに、フレームに応答する時間を与える。ＥＩＦＳ持続時間４０８は、フレームを正常に受信する別のノードが、フレームを復号することが可能でないノードからの干渉なしにフレームに応答することを可能にする。
例示的なＥＩＦＳ免除ルール
[0058]上記のように、本開示の態様は、フレームを処理するときにエラーを検出した後に、デバイスが、フレームの意図された受信者の決定に少なくとも部分的に基づいて譲歩期間を選択し得るかどうかをデバイスが決定することを可能にする技法を提供する。
【００４８】
[0059]たとえば、いくつかの態様によれば、エラーを検出するノードがフレームの意図された受信機である場合、ＥＩＦＳ譲歩期間の間待つことは不要である。むしろ、ノードはＤＩＦＳ譲歩期間に従って応答し得る。すなわち、ＥＩＦＳ期間はＤＩＦＳ期間に設定され得、ＤＩＦＳ期間の後に、ノードは、検出されたエラーとともに受信されたフレームの再送信を促すことを意図されたフレームを生成および出力し得る。ＥＩＦＳ譲歩は、受信されたフレームを処理するときにエラーを検出するノードからの干渉から意図された受信機を保護する。受信されたフレームを処理する間にエラーを検出するノードが意図された受信機である場合、ＥＩＦＳ譲歩は、意図された受信機（すなわち、ノード）が、ＥＩＦＳ譲歩期間の間フレームに肯定応答することまたはフレームの再送信を要求することを防止する。さらに、第２の受信機がエラーなしにフレームを受信することが可能である場合、その第２の受信機は、媒体にアクセスする前に、より短いＤＩＦＳ譲歩期間の間待つだけでよいことがある。第２の受信機も、受信されたフレームを処理するときにエラーを検出した場合、媒体はアイドル状態にされ、両方の受信機はＥＩＦＳ期間の後にアクセスを求めて競合しなければならない。
【００４９】
[0060]受信されたフレームを処理するときにエラーを検出するノードは、依然として、フレームの意図された受信者を決定するのに十分なフレームを復号することが可能であり得る。たとえば、ＰＨＹレイヤ送信は、ＭＡＣレイヤとは異なるビットレートにおいて送られ、伝送媒体中で雑音または干渉をあまり受けないことがある。別の例として、検出されたエラーは、メディアアクセス制御（ＭＡＣ：Media access control）プロトコルデータユニット（ＭＰＤＵ：MAC protocol data unit）のための失敗したフレーム検査シーケンス（ＦＣＳ：frame check sequence）検査など、ＰＳＤＵ中で発生し得る。しかしながら、受信ノードは、依然として、フレームの十分なＰＨＹ部分を復号し、フレームの意図された受信機を決定することが可能であり得る。
【００５０】
[0061]本開示のいくつかの態様によれば、フレームの受信機は、ＰＨＹヘッダ中に含まれる情報に基づいてフレームの意図された受信機を決定することが可能であり得る。たとえば、物理レイヤコンバージェンスプロトコル（ＰＬＣＰ：physical layer convergence protocol）プロトコルデータユニット（ＰＰＤＵ：PLCP protocol data unit）中に含まれている情報は、意図された受信機が決定されることを可能にし得る。図５は、本開示のいくつかの態様による、例示的なＳ１Ｇ  ＰＰＤＵフレームフォーマットを示す。ＰＰＤＵは、フレームのプリアンブル中にあり得る、１つまたは複数の信号（ＳＩＧ）フィールドを含んでいることがある。色フィールドのための値など、情報は、１つまたは複数のＳＩＧフィールド中で搬送され得る。たとえば、高効率（ＨＥ）シングルユーザ（ＳＵ）ＰＰＤＵがＳＩＧ−Ａフィールド中に色フィールドを含んでいることがあり、ＨＥマルチユーザ（ＭＵ）ＰＰＤＵがＳＩＧ−Ｂフィールド中に識別子を含んでいることがある。これらの識別子は、色フィールド、部分関連付け識別子（ＡＩＤ）フィールド、部分送信機ＡＩＤ（ＴＡＩＤ）フィールド、および／またはアップリンク／ダウンリンク（ＵＬ／ＤＬ）インジケーションを含み得る。
【００５１】
[0062]色フィールドは、受信ノードが、受信された送信がそれから発生するＢＳＳを識別することを支援するために使用され得る。色フィールドの値は、媒体を検知した後に、ＡＰによって選定され、ＡＰが属する特定のＢＳＳに関連付けられ得る。この色フィールドはできるだけ一意であるべきであり、別のＡＰの範囲内のＡＰは、別のＡＰによってすでに使用中の色フィールドを選定するべきではない。この色フィールドは、受信ノードが、受信されているフレームはノードが、関連付けられているＢＳＳからのものでないことを検出することを可能にする。ノードが関連付けられていない色フィールド値をノードが検出した場合、ノードは受信プロセスを中止し得る。色フィールドは、３〜６ビットであり、８〜６３の考えられる色値を可能にし得る。
【００５２】
[0063]たとえば、集中型コントローラを通した、集中型管理および制御をもつネットワークでは、色値は、各ＢＳＳが一意の色値を有することを保証することが可能であるように、ＡＰに割り振られ得る。しかしながら、分散管理ネットワークの場合、隠れノード問題が依然として起こり得るので、一意性を保証することは可能でないことがある。
【００５３】
[0064]本開示のいくつかの態様によれば、色値が一意の識別子でないことがあるので、フレームの意図された受信者を決定するのを助けるためにフレーム中の他の情報を探索することが有利であり得る。この他の情報の例としては、限定はしないが、部分ＡＩＤ、部分ＴＡＩＤ、ＵＬ／ＤＬフレームインジケーション、またはＭＡＣヘッダがあり得る。受信機がＭＡＣヘッダ中の受信機アドレス（ＲＡ）フィールドを受信および復号することが可能である場合、受信機は、受信機が意図された受信者であるかどうかを決定するために、意図された受信者の一意の識別子を有することになる。しかしながら、上記のように、ＭＡＣレイヤは、ＰＨＹレイヤよりも干渉を多く受け得る。
【００５４】
[0065]図６は、本開示のいくつかの態様による、Ｓ１Ｇ  ＳＵ  ＰＰＤＵの例示的なＳＩＧ−Ａフィールドを示す。ＳＩＧ−Ａフィールドは、たとえば、ＭＵ／ＳＵモードを示すＭＵ／ＳＵフィールド６０２、空間ストリームが時空間ブロックコーディングを有するかどうかを示すＳＴＢＣフィールド６０４、アップリンクインジケーション６０６、帯域幅フィールド６０８、時空間ストリームの数（Ｎｓｔｓ）６１０、およびＩＤフィールド６１２を含んでいることがある。ＩＤフィールド６１２は、部分ＡＩＤおよびまたは色フィールドを含んでいることがある。部分ＡＩＤは、ＰＰＤＵの意図された受信機を識別するＢＳＳＩＤに基づく非一意の識別子であり得る。アップリンクフレームインジケーション６０６が存在しないか、または１（すなわちＡＰへのアップリンクフレーム）に設定される場合、ＩＤフィールド６１２は、９ビット部分ＡＩＤを含んでいることがある。そのような場合、部分ＡＩＤは部分ＢＳＳＩＤであり得る。アップリンクフレームインジケーションが０（すなわち、ダウンリンクフレーム）に設定される場合、ビット７〜９は色フィールドを含んでいることがあり、ビット１０〜１５は部分ＡＩＤを含んでいることがある。そのような場合、部分ＡＩＤは、ＢＳＳＩＤおよびＳＴＡの部分ＡＩＤの排他的論理和をとられたバージョンであり得る。
【００５５】
[0066]本開示のいくつかの態様によれば、色値は、フレームの意図された受信者を決定するために、部分ＡＩＤと組み合わせられ得る。上記で説明されたように、部分ＡＩＤは、フレームの意図された受信機を識別し、色は、フレームに関連付けられたＢＳＳに関係する情報を与える。第１の装置が、フレームを処理するときにエラーを検出し、フレームの色値が第１の装置が関連付けられたＢＳＳの色値に一致し、フレームの部分ＡＩＤ値が第１の装置の部分ＡＩＤに一致すると決定する場合、第１の装置がＥＩＦＳ期間の代わりにＤＩＦＳ期間に譲歩期間を設定することは安全である。これは、色フィールドおよび部分ＡＩＤフィールドのための適切な長さであれば、第２の装置が第１の装置と同じ色フィールドと部分ＡＩＤフィールドの両方を有する可能性が非常に低いからである。さらに、第１の装置と第２の装置の両方による応答が譲歩期間選択により衝突するためには、第１の局はフレームを正しく受信してはならず、第２の装置は、応答を生成するためにフレームを正しく受信し、第２の装置は、第１の装置の送信範囲内になく、したがって、第１の装置によって応答のプリアンブルを検出することが不可能である。これらの状況下では、第２の装置の送信は、フレームの送信者が第１の装置から応答フレームを受信することを失敗させ得る。
【００５６】
[0067]本開示のいくつかの態様によれば、色値は、フレームの意図された受信者を決定するために、部分ＴＡＩＤと組み合わせられ得る。アップリンクでは、部分ＴＡＩＤは、ＢＳＳＩＤおよびノードの部分ＡＩＤの排他的論理和をとられたバージョンであり得る。ダウンリンクでは、部分ＴＡＩＤは部分ＢＳＳＩＤであり得る。部分ＴＡＩＤがＰＰＤＵの送信機を識別するので、部分ＴＡＩＤは、ＡＰが複数のＳＴＡに送信し得るので、部分ＡＩＤよりもフレームの意図された受信者を一意に識別する可能性が低くなり得る。しかしながら、受信機の数が低い場合、たとえば各色値が２つの装置に関連付けられる場合、部分ＴＡＩＤは、フレームの意図された受信者を決定するために、色値とともに使用され得る。
【００５７】
[0068]本開示のいくつかの態様によれば、色値は、フレームの意図された受信者を決定するために、ＵＬ／ＤＬインジケーションと組み合わせられ得る。ＵＬ／ＤＬのインジケーションは、たとえば、意図された受信者がＡＰであるときかを示すために、色値とともに使用され得る。
【００５８】
[0069]本開示のいくつかの態様によれば、フレームのターゲット受信者にかかわらず、受信装置が第１の譲歩期間を選択するべきであるのか第２の譲歩期間を選択するべきであるのか否かのインジケーションを含んでいる、ビット値も、たとえば、ＰＨＹヘッダ中のＳＩＧフィールド中で与えられ得る。すなわち、特定のビット値の場合、受信装置が受信されたフレーム中でエラーを検出したとき、受信装置は常に全ＥＩＦＳ期間を待つ。
【００５９】
[0070]本開示の態様は、キャリア検知機構に依拠する様々なワイヤレスシステムにおいて適用され得る。たとえば、本明細書で提示される技法は、要求および応答のために物理（ＰＨＹ）レイヤおよび媒体アクセス制御（ＭＡＣ）レイヤシグナリングを使用する、（高効率ワイヤレス（ＨＥＷ）または高効率ワイヤレスローカルエリアネットワーク（ＷＬＡＮ）としても知られる）ＩＥＥＥ８０２．１１ａｘなど、いくつかのシステムにおいて適用され得る。本明細書で使用されるように、応答は、要求フレームに応答して送信された応答フレームを指すことがある。
【００６０】
[0071]応答は、肯定応答（ＡＣＫ）フレーム、送信可（ＣＴＳ：clear-to-send）フレーム、否定ＡＣＫ（ＮＡＣＫ）フレームなどを含み得る。紛失応答は望ましくないことがある。たとえば、紛失ＡＣＫは、成功したパケットの再送信につながり得、これにより、送信機のスループットが低減し、および／または不要な干渉が生じ得る。信頼できる応答を有することは、特に、高密度ネットワークの場合、望ましい。
【００６１】
[0072]図７は、本開示のいくつかの態様による、装置によるワイヤレス通信のための例示的な動作７００を示す流れ図である。動作は、７０２において、媒体上で受信されたフレームを取得することによって開始し得る。７０４において、フレームを処理するときにエラーの発生を検出する。７０６において、フレーム中に含まれる情報に基づいてフレームの意図された受信者を決定することを行う。７０８において、決定に少なくとも部分的に基づいて、エラーの発生を検出した後に、装置が媒体上で送信することをその間に控える、譲歩期間を選択することを行う。
【００６２】
[0073]図８は、本開示のいくつかの態様による、装置によるワイヤレス通信のための例示的な動作８００を示す流れ図である。動作は、８０２において、送信のためにフレームを生成することによって開始され得、フレームは、フレームを処理するときにエラーが検出される場合、フレームの意図された受信者は第１の譲歩期間を選択するべきであるのか第２の譲歩期間を選択するべきであるのかのインジケーションを有する。８０４において、送信のためにフレームを出力する。
【００６３】
[0074]本開示の態様によれば、第１の譲歩期間はＤＩＦＳまたはＰＩＦＳ期間に対応し得、第２の譲歩期間はＥＩＦＳ期間に対応し得る。フレームの意図された受信者が第２の譲歩期間を選択するべきであるというインジケーションをフレームが有する場合、受信装置が受信されたフレーム中でエラーを検出した場合、受信装置は、受信装置が意図された受信機であるかどうかにかかわらず、全ＥＩＦＳ期間を待つ。インジケーションはまた、第２の譲歩期間が、送信機と受信機との間で交換される１つまたは複数のフレームのシーケンスのための送信機会（ＴＸＯＰ）持続時間に適用されることを示し得る。
【００６４】
[0075]本明細書で開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【００６５】
[0076]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００６６】
[0077]本明細書で使用される「決定すること」という用語は、多種多様なアクションを包含する。たとえば、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００６７】
[0078]いくつかの場合には、フレームを実際に送信するのではなく、デバイスは、送信のためにフレームを出力するためのインターフェースを有し得る。たとえば、プロセッサは、バスインターフェースを介して、送信のためにＲＦフロントエンドにフレームを出力し得る。同様に、フレームを実際に受信するのではなく、デバイスは、別のデバイスから受信されたフレームを取得するためのインターフェースを有し得る。たとえば、プロセッサは、バスインターフェースを介して、送信のためにＲＦフロントエンドからフレームを取得（または受信）し得る。
【００６８】
[0079]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図７および図８に示されている動作７００および動作８００は、それぞれ、図７Ａおよび図８Ａに示されている手段７００Ａおよび手段８００Ａにそれぞれ対応する。
【００６９】
[0080]たとえば、取得するための手段および受信するための手段は、図２に示されているユーザ端末１２０の受信機（たとえば、トランシーバ２５４の受信機ユニット）および／または（１つまたは複数の）アンテナ２５２、あるいは図２に示されているアクセスポイント１１０の受信機（たとえば、トランシーバ２２２の受信機ユニット）および／または（１つまたは複数の）アンテナ２２４であり得る。送信するための手段および出力するための手段は、図２に示されているユーザ端末１２０の送信機（たとえば、トランシーバ２５４の送信機ユニット）および／または（１つまたは複数の）アンテナ２５２、あるいは図２に示されているアクセスポイント１１０の送信機（たとえば、トランシーバ２２２の送信機ユニット）および／または（１つまたは複数の）アンテナ２２４であり得る。
【００７０】
[0081]処理するための手段、生成するための手段、含むための手段、譲歩するための手段、決定するための手段、実行するための手段、検出するための手段、選択するための手段、および検知するための手段は、図２に示されているユーザ端末１２０のＲＸデータプロセッサ２７０、ＴＸデータプロセッサ２８８、および／またはコントローラ２８０、あるいは図２に示されているアクセスポイント１１０のＴＸデータプロセッサ２１０、ＲＸデータプロセッサ２４２、および／またはコントローラ２３０など、１つまたは複数のプロセッサを含み得る、処理システムを備え得る。
【００７１】
[0082]いくつかの態様によれば、そのような手段は、上記で説明された（たとえば、ハードウェアでまたはソフトウェア命令を実行することによって）様々なアルゴリズムを実装することによって、対応する機能を実行するように構成された処理システムによって実装され得る。たとえば、媒体上で受信されたフレームを取得することと、フレームを処理するときにエラーの発生を検出することと、フレーム中に含まれる情報に基づいてフレームの意図された受信者を決定することと、エラーの発生を検出した後に、装置が媒体上で送信することをその間に控える、譲歩期間を選択すること、ここにおいて、選択が決定に少なくとも部分的に基づく、とを行うためのアルゴリズム。別の例では、送信のためにフレームを生成すること、フレームは、フレームを処理するときにエラーが検出される場合、フレームの意図された受信者が、第１の譲歩期間を選択するべきであるのか第２の譲歩期間を選択するべきであるのかのインジケーションを有する、と、送信のためにフレームを出力することとを行うためのアルゴリズム。
【００７２】
[0083]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７３】
[0084]ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野においてよく知られており、したがって、これ以上説明されない。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。当業者は、特定の適用例と、全体的なシステムに課される全体的な設計制約とに応じて、どのようにしたら処理システムについて説明された機能を最も良く実装し得るかを理解されよう。
【００７４】
[0085]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体と通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。
【００７５】
[0086]ソフトウェアモジュールは、単一の命令、または多数の命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に存在するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００７６】
[0087]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００７７】
[0088]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。たとえば、媒体上で受信されたフレームを取得することと、フレームを処理するときにエラーの発生を検出することと、フレーム中に含まれる情報に基づいてフレームの意図された受信者を決定することと、エラーの発生を検出した後に、装置が媒体上で送信することをその間に控える、譲歩期間を選択すること、ここにおいて、選択が決定に少なくとも部分的に基づく、とを行うための命令。別の例では、送信のためにフレームを生成すること、フレームは、フレームを処理するときにエラーが検出される場合、フレームの意図された受信者が、第１の譲歩期間を選択するべきであるのか第２の譲歩期間を選択するべきであるのかのインジケーションを有する、と、送信のためにフレームを出力することとを行うための命令。
【００７８】
[0089]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【００７９】
[0090]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
[Ｃ１]  ワイヤレス通信のための装置であって、
媒体上で受信されたフレームを取得するように構成されたインターフェースと、
前記フレームを処理するときにエラーの発生を検出することと、
前記フレーム中に含まれる情報に基づいて前記フレームの意図された受信者を決定することと、
前記エラーの前記発生を検出した後に、前記装置が前記媒体上で送信することをその間に控える、譲歩期間を選択すること、ここにおいて、前記選択が前記決定に少なくとも部分的に基づく、とを行うように構成された処理システムとを備える、装置。
[Ｃ２]  前記情報は、前記装置が属する基本サービスセット（ＢＳＳ）に関連付けられた値を備える、Ｃ１に記載の装置。
[Ｃ３]  前記情報が部分関連付け識別子（ＡＩＤ）を備える、Ｃ１に記載の装置。
[Ｃ４]  前記情報が、前記フレームのプリアンブルの信号フィールド中で搬送される、Ｃ１に記載の装置。
[Ｃ５]  前記情報が、少なくとも部分的に前記信号フィールド中の色フィールド中で搬送される、Ｃ４に記載の装置。
[Ｃ６]  前記選択は、
前記決定が、前記装置が前記フレームの前記意図された受信者であるということである場合、第１の譲歩期間を選択する、または、
前記決定が、前記装置が前記フレームの前記意図された受信者でないということである場合、第２の譲歩期間を選択する、ここにおいて、前記第１の譲歩期間が前記第２の譲歩期間よりも小さい、を備える、Ｃ１に記載の装置。
[Ｃ７]  前記第１の譲歩期間が分散フレーム間スペース（ＤＩＦＳ）期間またはポイント協調機能（ＰＣＦ）フレーム間スペース（ＰＩＦＳ）期間を備える、Ｃ６に記載の装置。
[Ｃ８]  前記第２の譲歩期間が拡張フレーム間スペース（ＥＩＦＳ）期間を備える、Ｃ６に記載の装置。
[Ｃ９]  前記処理システムが、前記エラーとともに受信された前記フレームの再送信を促すように意図された別のフレームを生成するように構成され、
前記装置が、送信のために前記生成された別のフレームを出力するためのインターフェースをさらに備える、Ｃ１に記載の装置。
[Ｃ１０]  前記情報が、前記フレームを送信したデバイスの識別子を備える、Ｃ１に記載の装置。
[Ｃ１１]  前記情報は、前記フレームがアップリンクフレームであるのかダウンリンクフレームであるのかのインジケーションを備える、Ｃ１に記載の装置。
[Ｃ１２]  前記情報が前記フレームのメディアアクセス制御（ＭＡＣ）ヘッダ中に含まれる、Ｃ１に記載の装置。
[Ｃ１３]  前記処理システムは、前記フレーム中のインジケーションに基づいて、前記譲歩期間の前記選択が前記フレームの前記決定された意図された受信者に少なくとも部分的に基づくべきであるかどうかを決定するように構成された、Ｃ１に記載の装置。
[Ｃ１４]  前記情報が前記フレームのＰＨＹヘッダ中に含まれる、Ｃ１３に記載の装置。
[Ｃ１５]  前記情報は、前記フレームのプリアンブル中に、前記フレームがアップリンクまたはダウンリンクのためのものであるというインジケーションと色のインジケーションとを含み、ここにおいて、前記処理システムが、前記インジケーションと前記色とに基づいて前記フレームの前記意図された受信者を決定するように構成された、Ｃ１に記載の装置。
[Ｃ１６]  ワイヤレス通信のための装置であって、
送信のためにフレームを生成するように構成された処理システム、前記フレームは、前記フレームを処理するときにエラーが検出される場合、前記フレームの意図された受信者が、第１の譲歩期間を選択するべきであるのか第２の譲歩期間を選択するべきであるのかのインジケーションを有する、と、
送信のために前記フレームを出力するためのインターフェースとを備える、装置。
[Ｃ１７]  前記フレームは、前記フレームの受信者が前記フレームの前記意図された受信者であるかどうかを決定するために前記受信者によって使用されるべき情報を備える、Ｃ１６に記載の装置。
[Ｃ１８]  前記情報は、前記装置が属する基本サービスセット（ＢＳＳ）に関連付けられた値を備える、Ｃ１７に記載の装置。
[Ｃ１９]  前記情報が部分関連付け識別子（ＡＩＤ）を備える、Ｃ１７に記載の装置。
[Ｃ２０]  前記情報が、前記フレームのプリアンブルの信号フィールド中で搬送される、Ｃ１７に記載の装置。
[Ｃ２１]  前記情報が、少なくとも部分的に前記信号フィールド中の色フィールド中で搬送される、Ｃ２０に記載の装置。
[Ｃ２２]  前記情報が、前記装置に関連付けられた識別子を備える、Ｃ１７に記載の装置。
[Ｃ２３]  前記情報は、前記フレームがアップリンクフレームであるのかダウンリンクフレームであるのかのインジケーションを備える、Ｃ１７に記載の装置。
[Ｃ２４]  前記情報が前記フレームのメディアアクセス制御（ＭＡＣ）ヘッダ中で搬送される、Ｃ１７に記載の装置。
[Ｃ２５]  装置によるワイヤレス通信のための方法であって、
媒体上で受信されたフレームを取得することと、
前記フレームを処理するときにエラーの発生を検出することと、
前記フレーム中に含まれる情報に基づいて前記フレームの意図された受信者を決定することと、
前記エラーの前記発生を検出した後に、前記装置が前記媒体上で送信することをその間に控える、譲歩期間を選択すること、ここにおいて、前記選択が前記決定に少なくとも部分的に基づく、とを備える、方法。
[Ｃ２６]  前記情報は、前記装置が属する基本サービスセット（ＢＳＳ）に関連付けられた値を備える、Ｃ２５に記載の方法。
[Ｃ２７]  前記情報が部分関連付け識別子（ＡＩＤ）を備える、Ｃ２５に記載の方法。
[Ｃ２８]  前記情報が、前記フレームのプリアンブルの信号フィールド中で搬送される、Ｃ２５に記載の方法。
[Ｃ２９]  前記情報が、少なくとも部分的に前記信号フィールド中の色フィールド中で搬送される、Ｃ２８に記載の方法。
[Ｃ３０]  前記選択することは、
前記決定が、前記装置が前記フレームの前記意図された受信者であるということである場合、第１の譲歩期間を選択すること、または、
前記決定が、前記装置が前記フレームの前記意図された受信者でないということである場合、第２の譲歩期間を選択すること、ここにおいて、前記第１の譲歩期間が前記第２の譲歩期間よりも小さい、を備える、Ｃ２５に記載の方法。
[Ｃ３１]  前記第１の譲歩期間が分散フレーム間スペース（ＤＩＦＳ）期間またはポイント協調機能（ＰＣＦ）フレーム間スペース（ＰＩＦＳ）期間を備える、Ｃ３０に記載の方法。
[Ｃ３２]  前記第２の譲歩期間が拡張フレーム間スペース（ＥＩＦＳ）期間を備える、Ｃ３０に記載の方法。
[Ｃ３３]  前記エラーとともに受信された前記フレームの再送信を促すように意図された別のフレームを生成することと、
送信のために前記生成された別のフレームを出力することとをさらに備える、Ｃ２５に記載の方法。
[Ｃ３４]  前記情報が、前記フレームを送信したデバイスの識別子を備える、Ｃ２５に記載の方法。
[Ｃ３５]  前記情報は、前記フレームがアップリンクフレームであるのかダウンリンクフレームであるのかのインジケーションを備える、Ｃ２５に記載の方法。
[Ｃ３６]  前記情報が前記フレームのメディアアクセス制御（ＭＡＣ）ヘッダ中に含まれる、Ｃ２５に記載の方法。
[Ｃ３７]  前記フレーム中のインジケーションに基づいて、前記譲歩期間の前記選択が前記フレームの前記決定された意図された受信者に少なくとも部分的に基づくべきであるかどうかを決定することをさらに備える、Ｃ２５に記載の方法。
[Ｃ３８]  前記情報が前記フレームのＰＨＹヘッダ中に含まれる、Ｃ３７に記載の方法。
[Ｃ３９]  前記情報は、前記フレームのプリアンブル中に、前記フレームがアップリンクまたはダウンリンクのためのものであるというインジケーションと色のインジケーションとを含み、ここにおいて、前記決定することが前記インジケーションと前記色とに基づく、Ｃ２５に記載の方法。
[Ｃ４０]  ワイヤレス通信のための方法であって、
送信のためにフレームを生成すること、前記フレームは、前記フレームを処理するときにエラーが検出される場合、前記フレームの意図された受信者が、第１の譲歩期間を選択するべきであるのか第２の譲歩期間を選択するべきであるのかのインジケーションを有する、と、
送信のために前記フレームを出力することとを備える、方法。
[Ｃ４１]  前記フレームは、前記フレームの受信者が前記フレームの前記意図された受信者であるかどうかを決定するために前記受信者によって使用されるべき情報を備える、Ｃ４０に記載の方法。
[Ｃ４２]  前記情報は、前記装置が属する基本サービスセット（ＢＳＳ）に関連付けられた値を備える、Ｃ４１に記載の方法。
[Ｃ４３]  前記情報が部分関連付け識別子（ＡＩＤ）を備える、Ｃ４１に記載の方法。
[Ｃ４４]  前記情報が、前記フレームのプリアンブルの信号フィールド中で搬送される、Ｃ４１に記載の方法。
[Ｃ４５]  前記情報が、少なくとも部分的に前記信号フィールド中の色フィールド中で搬送される、Ｃ４４に記載の方法。
[Ｃ４６]  前記情報が、前記装置に関連付けられた識別子を備える、Ｃ４１に記載の方法。
[Ｃ４７]  前記情報は、前記フレームがアップリンクフレームであるのかダウンリンクフレームであるのかのインジケーションを備える、Ｃ４１に記載の方法。
[Ｃ４８]  前記情報が前記フレームのメディアアクセス制御（ＭＡＣ）ヘッダ中で搬送される、Ｃ４１に記載の方法。
[Ｃ４９]  ワイヤレス通信のための装置であって、
媒体上で受信されたフレームを取得するための手段と、
前記フレームを処理するときにエラーの発生を検出するための手段と、
前記フレーム中に含まれる情報に基づいて前記フレームの意図された受信者を決定するための手段と、
前記エラーの前記発生を検出した後に、前記装置が前記媒体上で送信することをその間に控える、譲歩期間を選択するための手段、ここにおいて、前記選択が前記決定に少なくとも部分的に基づく、とを備える、装置。
[Ｃ５０]  前記情報は、前記装置が属する基本サービスセット（ＢＳＳ）に関連付けられた値を備える、Ｃ４９に記載の装置。
[Ｃ５１]  前記情報が部分関連付け識別子（ＡＩＤ）を備える、Ｃ４９に記載の装置。
[Ｃ５２]  前記情報が、前記フレームのプリアンブルの信号フィールド中で搬送される、Ｃ４９に記載の装置。
[Ｃ５３]  前記情報が、少なくとも部分的に前記信号フィールド中の色フィールド中で搬送される、Ｃ５２に記載の装置。
[Ｃ５４]  選択するための前記手段は、
前記決定が、前記装置が前記フレームの前記意図された受信者であるということである場合、第１の譲歩期間を選択するための手段、または、
前記決定が、前記装置が前記フレームの前記意図された受信者でないということである場合、第２の譲歩期間を選択するための手段、ここにおいて、前記第１の譲歩期間が前記第２の譲歩期間よりも小さい、を備える、Ｃ４９に記載の装置。
[Ｃ５５]  前記第１の譲歩期間が分散フレーム間スペース（ＤＩＦＳ）期間またはポイント協調機能（ＰＣＦ）フレーム間スペース（ＰＩＦＳ）期間を備える、Ｃ５４に記載の装置。
[Ｃ５６]  前記第２の譲歩期間が拡張フレーム間スペース（ＥＩＦＳ）期間を備える、Ｃ５４に記載の装置。
[Ｃ５７]  前記エラーとともに受信された前記フレームの再送信を促すように意図された別のフレームを生成するための手段と、
送信のために前記生成された別のフレームを出力するための手段とをさらに備える、Ｃ４９に記載の装置。
[Ｃ５８]  前記情報が、前記フレームを送信したデバイスの識別子を備える、Ｃ４９に記載の装置。
[Ｃ５９]  前記情報は、前記フレームがアップリンクフレームであるのかダウンリンクフレームであるのかのインジケーションを備える、Ｃ４９に記載の装置。
[Ｃ６０]  前記情報が前記フレームのメディアアクセス制御（ＭＡＣ）ヘッダ中に含まれる、Ｃ４９に記載の装置。
[Ｃ６１]  前記フレーム中のインジケーションに基づいて、前記譲歩期間の前記選択が前記フレームの前記意図された受信者に少なくとも部分的に基づくべきであるかどうかを決定するための手段をさらに備える、Ｃ４９に記載の装置。
[Ｃ６２]  前記情報が前記フレームのＰＨＹヘッダ中に含まれる、Ｃ６１に記載の装置。
[Ｃ６３]  前記情報は、前記フレームのプリアンブル中に、前記フレームがアップリンクまたはダウンリンクのためのものであるというインジケーションと色のインジケーションとを含み、ここにおいて、前記決定することが前記インジケーションと前記色とに基づく、Ｃ４９に記載の装置。
[Ｃ６４]  ワイヤレス通信のための装置であって、
送信のためにフレームを生成するための手段、前記フレームは、前記フレームを処理するときにエラーが検出される場合、前記フレームの意図された受信者が、第１の譲歩期間を選択するべきであるのか第２の譲歩期間を選択するべきであるのかのインジケーションを有する、と、
送信のために前記フレームを出力するための手段とを備える、装置。
[Ｃ６５]  前記フレームは、前記フレームの受信者が前記フレームの前記意図された受信者であるかどうかを決定するために前記受信者によって使用されるべき情報を備える、Ｃ６４に記載の装置。
[Ｃ６６]  前記情報は、前記装置が属する基本サービスセット（ＢＳＳ）に関連付けられた値を備える、Ｃ６５に記載の装置。
[Ｃ６７]  前記情報が部分関連付け識別子（ＡＩＤ）を備える、Ｃ６５に記載の装置。
[Ｃ６８]  前記情報が、前記フレームのプリアンブルの信号フィールド中で搬送される、Ｃ６５に記載の装置。
[Ｃ６９]  前記情報が、少なくとも部分的に前記信号フィールド中の色フィールド中で搬送される、Ｃ６８に記載の装置。
[Ｃ７０]  前記情報が、前記装置に関連付けられた識別子を備える、Ｃ６５に記載の装置。
[Ｃ７１]  前記情報は、前記フレームがアップリンクフレームであるのかダウンリンクフレームであるのかのインジケーションを備える、Ｃ６５に記載の装置。
[Ｃ７２]  前記情報が前記フレームのメディアアクセス制御（ＭＡＣ）ヘッダ中で搬送される、Ｃ６５に記載の装置。
[Ｃ７３]  少なくとも１つのアンテナと、
前記少なくとも１つのアンテナを介して、媒体上でフレームを受信するように構成された受信機と、
前記フレームを処理するときにエラーの発生を検出することと、
前記フレーム中に含まれる情報に基づいて前記フレームの意図された受信者を決定することと、
前記エラーの前記発生を検出した後に、前記装置が前記媒体上で送信することをその間に控える、譲歩期間を選択すること、ここにおいて、前記選択が前記決定に少なくとも部分的に基づく、と、を行うように構成された処理システムとを備える、ワイヤレス局。
[Ｃ７４]  少なくとも１つのアンテナと、
送信のためにフレームを生成するように構成された処理システム、前記フレームは、前記フレームを処理するときにエラーが検出される場合、前記フレームの意図された受信者が、第１の譲歩期間を選択するべきであるのか第２の譲歩期間を選択するべきであるのかのインジケーションを有する、と、
前記少なくとも１つのアンテナを介して前記フレームを送信するように構成された送信機とを備える、アクセスポイント。
[Ｃ７５]  装置によって媒体上で受信されたフレームを取得することと、
前記フレームを処理するときにエラーの発生を検出することと、
前記フレーム中に含まれる情報に基づいて前記フレームの意図された受信者を決定することと、
前記エラーの前記発生を検出した後に、前記装置が前記媒体上で送信することをその間に控える、譲歩期間を選択すること、ここにおいて、前記選択が前記決定に少なくとも部分的に基づく、とを行うための命令を記憶したコンピュータ可読媒体。
[Ｃ７６]  送信のためにフレームを生成すること、前記フレームは、前記フレームを処理するときにエラーが検出される場合、前記フレームの意図された受信者が、第１の譲歩期間を選択するべきであるのか第２の譲歩期間を選択するべきであるのかのインジケーションを有する、と、
送信のために前記フレームを出力することとを行うための命令を記憶したコンピュータ可読媒体。
【図１】
0006571206.tif 000002
【図２】
0006571206.tif 000003
【図３】
0006571206.tif 000004
【図４】
0006571206.tif 000005
【図５】
0006571206.tif 000006
【図６】
0006571206.tif 000007
【図７】
0006571206.tif 000008
【図７Ａ】
0006571206.tif 000009
【図８】
0006571206.tif 000010
【図８Ａ】
0006571206.tif 000011